(57)【要約】【課題】個人情報等を記録した記録媒体を収納し搬送する際のセキュリティーが高く、多数のケースを解錠する際の操作性に優れたセキュリティーケースを提供する。【解決手段】ケース本体１０を設ける。該ケース本体１０の開口部に揺動自在に設けられ、ケース本体１０の開口部を施蓋するケース蓋体２０を設ける。ケース本体１０とケース蓋体２０との開閉部分を施錠せしめるナンバー錠からなる錠前１１をケース本体１０に設ける。ナンバー錠を施錠したままでも開閉自在な補助蓋２１をケース蓋体２０に設ける。該補助蓋２１の開閉部分を施錠せしめるシリンダー錠からなる補助錠前２２をケース蓋体２０に設ける。【選択図】図２
0003111236.tif 000002
【実用新案登録請求の範囲】
【請求項１】
ケース本体と、該ケース本体の開口部に揺動自在に設けられケース本体の開口部を施蓋するケース蓋体とからなり、ケース本体とケース蓋体との開閉部分を施錠せしめる錠前を設けたケースにおいて、錠前を施錠したままでも開閉自在な補助蓋をケース蓋体に設け、該補助蓋の開閉部分を施錠する補助錠前を補助蓋に設けたことを特徴とするセキュリティーケース。
【請求項２】
前記錠前において、多数設けたケース本体全ての錠前をダイヤル錠にて設け、全てのケースに設けた前記補助錠前を一つの鍵で解錠するマスターキーを設けた請求項１記載のセキュリティーケース。
【請求項３】
前記補助錠前において、多数設けたケース全ての補助錠前をシリンダー錠にて設け、全てのシリンダー錠を一つの鍵で解錠するマスターキーを設けた請求項１又は２記載のセキュリティーケース。
【請求項４】
ケース本体と、該ケース本体の開口部に揺動自在に設けられケース本体の開口部を施蓋するケース蓋体とからなり、ケース本体とケース蓋体との開閉部分を施錠せしめるナンバー錠からなる錠前をケース本体に設けた搬送用のケースにおいて、ナンバー錠を施錠したままでも開閉自在な補助蓋をケース蓋体に設け、該補助蓋の開閉部分を施錠せしめるシリンダー錠からなる補助錠前をケース蓋体に設け、複数のケースに設けられた複数のシリンダー錠を一つの鍵で解錠するマスターキーを設けたことを特徴とするセキュリティーケース。
【考案の詳細な説明】
【技術分野】
【０００１】
本考案は、例えば各支店が持つ個人情報等を記録したＦＤ、ＣＤ、ＭＯ、ＣＭＴなどの記録媒体を収納し搬送する際に用いるセキュリティーケースに係り、特に複数の支店から多数のケースが本社に搬送された後、本社で各ケースを一括して解錠するのに好適なセキュリティーケースに関する。
【背景技術】
【０００２】
データ通信システムにより、必要な情報をオンラインで送受信する手段が一般的になっているが、ハッカーやウィルスの存在で通信システムの脆弱性も問題になっている。そこで、極めて重要な情報として扱われる個人情報等をＣＤ、ＭＤ、ＦＤなどの記録媒体に記録し、この記録媒体を物理的に搬送する情報収集手段が採用されている。例えば、各支店が扱う情報を本社に送る場合、各支店の情報を一旦、記録媒体に記録し、この記録媒体を搬送用のケースに収納した上で、ケースごと本社へ搬送する手段である。
【０００３】
一方、旅行鞄などに装着されるロック機構には、セキュリティーを高めるために、２箇所のロック機構を採用しているものがある。特許文献１は、旅行鞄の中央に装着したセンターロックと、両側に装着したサイドロックとを備えたもので、センターロックを解錠しておいて、サイドロックのプッシュレバーを押すことでサイドロックを開放する機構を採用している。特許文献１の機構では、センターロックを施錠すると、プッシュレバーの移動も阻止され、このプッシュレバーを押しても旅行鞄を開けることができない構造になっている。
【０００４】
特許文献２に記載されたアタッシュケースの錠前では、アタッシュケースの中央に装着したセンターロックと、両側に装着したサイドロックとからなるもので、この錠前では、ケースの本体に取り付けられた操作部から左右にのびるリンクの先端に、ケースの蓋に取り付けた係止駒との係合体を兼ねるスライダーが接するように設けられ、ケース本体に上記の操作部に併設されたダイヤル錠の操作によって上記のリンクの動きを阻止又は解放するように構成されている。
【特許文献１】特開２００４−１１６０２５号公報
【特許文献２】特開２００４−６８３９４号公報
【考案の開示】
【考案が解決しようとする課題】
【０００５】
ところが、記録媒体を物理的に搬送する手段を採用すると、通信システムの脆弱性に係る問題を解消することは可能になるが、これらの記録媒体を収納したケースの解錠作業に不便が生じている。
【０００６】
例えば、各支店から本社にケースを搬送する場合、各支店でケースを施錠し、本店で解錠することになるので、ケースの施錠を容易にする為に、ダイヤル錠が用いられている。ところが、各支店での施錠は容易になっても、本店でケースを開ける場合には、このダイヤル錠を解錠する作業に極めて多くの手間を要している。例えば仮に、７店舗の支店から平均２００個のケースを本社に搬送した場合、本社に収集されるケースの数は、１４００個ほどになる。すると、本社では、この１４００個のケースを開けるために、１４００個のダイヤル錠を手作業で解錠することになる。しかも、保険会社や銀行など、全国に点在するより多くの支店網から本社に搬送する場合は、更に膨大な数のケースが本社に集まることになる。したがって、このような大量のケースを開けるために、施錠されているダイヤル錠を解錠するには、極めて多くの手間や時間を要するものであった。
【０００７】
一方、特許文献１や特許文献２の如く、セキュリティーを高めるために、２箇所のロック機構を採用しているものでは、ケース自体のセキュリティーを高めていても、多数のナンバー錠を解錠するには、やはり多くの手間と時間を要するものである。したがって、これら各特許文献１、２に記載されたロック機構は、各支店から本社へ記録媒体を搬送する際に多数用いられる搬送用ケースのロック機構には適していない。
【０００８】
そこで、本考案は、上述の不都合を解消すべく案出されたもので、例えば個人情報等を記録した記録媒体を収納し搬送する際のセキュリティーが高く、しかも、多数のケースを解錠する際の操作性に優れたセキュリティーケースの提供を目的とするものである。
【課題を解決するための手段】
【０００９】
本考案の第１の手段は、ケース本体１０と、該ケース本体１０の開口部に揺動自在に設けられ、ケース本体１０の開口部を施蓋するケース蓋体２０とからなりケース本体１０とケース蓋体２０との開閉部分を施錠せしめる錠前１１を設けた搬送用のケースにおいて、錠前１１を施錠したままでも開閉自在な補助蓋２１をケース蓋体２０に設け、該補助蓋２１の開閉部分を施錠する補助錠前２２を補助蓋２１に設けたことにある。
【００１０】
第２の手段は、前記錠前１１において、多数設けたケース本体１０全ての錠前１１をダイヤル錠にて設け、全てのケースに設けた前記補助錠前２２を、一つの鍵で解錠するマスターキー２２Ａを設けることにある。
【００１１】
第３の手段は、前記補助錠前２２において、多数設けたケース全ての補助錠前２２をシリンダー錠にて設け、全てのシリンダー錠を一つの鍵で解錠するマスターキー２２Ａを設けることにある。
【００１２】
第４の手段は、ケース本体１０と、該ケース本体１０の開口部に揺動自在に設けられケース本体１０の開口部を施蓋するケース蓋体２０とからなり、ケース本体１０とケース蓋体２０との開閉部分を施錠せしめるナンバー錠からなる錠前１１をケース本体１０に設けた搬送用のケースにおいて、ナンバー錠を施錠したままでも開閉自在な補助蓋２１をケース蓋体２０に設け、該補助蓋２１の開閉部分を施錠せしめるシリンダー錠からなる補助錠前２２をケース蓋体２０に設け、複数のケースに設けられた複数のシリンダー錠を一つの鍵で解錠するマスターキー２２Ａを設けたことを課題解消のための手段とする。
【考案の効果】
【００１３】
本考案の請求項１乃至３により、錠前１１を施錠したままでも開閉自在な補助蓋２１をケース蓋体２０に設け、該補助蓋２１の開閉部分を施錠する補助錠前２２を設けているので、これらの錠前１１や補助錠前２２を使い分けることで、例えば、複数の支店で使用する複数のケースを錠前１１で施錠し、各ケースの補助錠前２２を本店で解錠するなどといった使い分けが可能になる。
【００１４】
請求項２により、錠前１１にナンバー錠を使用しているので、ケース本体１０の施錠操作が容易になると共に、マスターキー２２Ａによる補助錠前２２の一括解錠が可能になる。
【００１５】
請求項３により、マスターキー２２Ａは、シリンダー錠にて設けたられた補助錠前２２を解錠するものであるから、多数の補助錠前２２を解錠するマスターキーとしては、最も経済的なマスターキーを提供することができる。
【００１６】
請求項４により、錠前１１にナンバー錠を使用し、補助錠前２２にシリンダー錠を採用することで、多数のケースごとにナンバー錠の解除ナンバーを設定し、全ケースの補助錠前２２のシリンダー錠を、１本のマスターキー２２Ａで解錠することが可能になる。この結果、多数のケースを一箇所に集めて解錠する作業を極めて効率良く行うことができる。
【００１７】
このように、本考案によると、例えば個人情報等を記録した記録媒体を収納し搬送する際のセキュリティーが高く、しかも、多数のケースを一括して開放する際の操作性に優れ、多数のケースを一箇所に集めて解錠する作業などに好適であるなどといった有益な種々の効果を奏するものである。
【考案を実施するための最良の形態】
【００１８】
本考案の最良の形態は、ケース本体１０と、該ケース本体１０の開口部に揺動自在に設けられ、ケース本体１０の開口部を施蓋するケース蓋体２０からなる搬送用のケースを用いる。ケース本体１０とケース蓋体２０との開閉部分を施錠せしめるナンバー錠からなる錠前１１をケース本体１０に設ける。ナンバー錠を施錠したままでも開閉自在な補助蓋２１をケース蓋体２０に設ける。該補助蓋２１の開閉部分を施錠せしめるシリンダー錠からなる補助錠前２２をケース蓋体２０に設ける。多数のケースごとにナンバー錠の解除ナンバーを設定し、全ケースのマスターキーとして補助錠前２２のシリンダー錠を設定することで当初の目的を達成するものである。
【実施例】
【００１９】
本考案ケースは、特に、金融機関、保険業界、その他、特に個人情報を管理する業界において使用するもので、各支店の顧客情報や従業員情報等を記録した記録媒体を収納し、管理部門に搬送する際に用いられる。
【００２０】
すなわち、本考案ケースは、ケース本体１０とケース蓋体２０とからなる（図１参照）。図示例では、アタッシュケース状のケース本体１０を示しているが他の形状のケース本体１０を使用することも可能である。このケース本体１０は、通常２枚程度の記録媒体Ｐが収納される程度の大きさに設けている（図３参照）。また、ケース本体１０内部には、記録媒体Ｐを保護固定するクッション材Ｑ等を装着している。
【００２１】
一方、ケース蓋体２０は、該ケース本体１０の開口部に揺動自在に設けられ、ケース本体１０の開口部を施蓋する。このケース蓋体２０も、ケース本体１０の形状により任意に選択できるもので、図示例では、アタッシュケース状のケース本体１０に適合するケース蓋体２０が示されている。
【００２２】
このケース蓋体２０は、ケース本体１０の開口部一側縁に設けたヒンジ１２を介して揺動自在に装着されている（図３参照）。更にケース蓋体２０は、ケース本体１０の開口部の他側縁に装着した左右一対の止め具１３にて固定されるもので、この止め具１３の間に錠前１１を設けている（図１参照）。そして、この錠前１１を施錠することで、ケース蓋体２０がケース本体１０にロックされるものである。
【００２３】
図示の錠前１１は、ダイヤル錠を示している。このように錠前１１をダイヤル錠とすることで、例えば各支店において、ケース本体１０に記録媒体を収納した後に、簡単に施錠することができる。図示のダイヤル錠は、ケース本体１０に設けたダイヤル操作部１１Ａと、ケース蓋体２０に設けた係止金具１１Ｂとで構成している（図３、図５参照）。そして、ダイヤル操作部１１Ａの操作で、係止金具１１Ｂをダイヤル操作部１１Ａに係止させ、あるいは解除させるものである。また、錠前１１は、この他ダイヤル錠以外の錠前に変更することも可能であり、例えばシリンダー錠や、カードキー、ＩＣキーなどで解錠する錠前を用いることも可能である。
【００２４】
ケース蓋体２０には、更に補助蓋２１を設けている（図２参照）。この補助蓋２１は、ケース本体１０にケース蓋体２０を施錠したままでも開閉自在になる蓋体である。すなわち、ケース蓋体２０を閉じたままでも、ケース蓋体２０の一部を開けて、ケース本体１０に収納した記録媒体Ｐを取り出すことができるようにしている。図示例の補助蓋２１は、補助蓋２１の一端にヒンジ２３を設けてケース蓋体２０に揺動自在に連結し、補助蓋２１の他端に補助錠前２２を装着してケース蓋体２０に施錠できるようにしている（図２参照）。
【００２５】
この補助錠前２２は、例えば本考案ケースが収集される本社や管理部門等で開けることになる。そのため、各ケースの補助錠前２２は、全て本社や管理部門が持っているマスターキーで解錠できるように設定するのが好ましい。図示の補助錠前２２は、マスターキー２２Ａの操作で回転する係止金具２２Ｂを設けたシリンダー錠である（図４参照）。この係止金具２２Ｂがケース蓋体２０の一部に係止することで施錠され、ケース蓋体２０から係止金具２２Ｂが解除されると補助蓋２１が開くように設けられている（図２参照）。補助錠前２２に、このようなシリンダー錠を使用することにより、マスターキー２２Ａ１本で全ての補助錠前２２を解錠することができる。また、シリンダー錠以外でも、マスターキー２２Ａと同様に、一つの鍵で複数の錠前を解錠可能となる他の錠前を使用することも可能であり、例えば、カードキーやＩＣキーで開閉する錠前（図示せず）などを選択することも可能である。
【００２６】
尚、本考案における実施例の説明として、金融機関、保険業界、その他、特に個人情報を管理する業界において使用するものとして説明したが、本考案の使用方法はこれに限定されるものではない。また、図示例の各構成は、本考案の一実施例に過ぎず、各構成部材の形状、寸法等の設計変更、形態の変更など、現在知られている技術範囲で自由に変更することができるものである。
【図面の簡単な説明】
【００２７】
【図１】本考案の一実施例を示す斜視図である。
【図２】本考案の補助蓋を開いた状態を示す斜視図である。
【図３】本考案のケース蓋体を開いた状態を示す斜視図である。
【図４】本考案の補助錠前の一実施例を示す要部側面図である。
【図５】本考案の錠前の一実施例を示す正面図である。
【符号の説明】
【００２８】
Ｐ  記録媒体
Ｑ  クッション材
１０  ケース本体
１１  錠前            １１Ａ  ダイヤル操作部
１１Ｂ  係止金具  
１２  ヒンジ
１３  止め具
２０  ケース蓋体
２１  補助蓋
２２  補助錠前        ２２Ａ  マスターキー
２２Ｂ  係止金具
２３  ヒンジ
【図１】
0003111236.tif 000003
【図２】
0003111236.tif 000004
【図３】
0003111236.tif 000005
【図４】
0003111236.tif 000006
【図５】
0003111236.tif 000007